【手続補正書】
【提出日】平成16年10月7日(2004.10.7)
【手続補正１】
【補正対象書類名】明細書
【補正対象項目名】全文
【補正方法】変更
【補正の内容】
【書類名】        明細書
【発明の名称】    文書支持および持ち上げ機構を備える自動文書フィーダ装置
【特許請求の範囲】
【請求項１】
文書支持体の持ち上げカム機構であって、
主シャーシを含む複数の相互接続可能なモジュール組立体と、
前記主シャーシに取り付けられて、媒体シートをコンピュータ入力装置の受け支持表面に載せ置き、かつ取り出す際に、媒体シートを１枚ずつ順次載せ置き、かつ取り出す、紙駆動機構と、
前記主シャーシに取り付けられ、かつ前記文書支持体に結合されて、静電気が帯電せずに、摩擦力を実質的に生じないように、前記文書支持体の下方で文書シートを前記受け支持表面に向かって、あるいは前記受け支持表面から通過させるための持ち上げを行い、かつ走査動作前に文書シート上に下ろすことを行う、カムリンク機構と、
前記カムリンク機構と連動して、前記文書支持体を上昇位置まで持ち上げ、前記文書シートを前記受け支持表面へ前進させ、前記文書支持体を前記文書シート上に重なるように下ろして文書走査を行い、前記文書支持体を上昇位置まで持ち上げ、前記文書シートを確実にシート送りして前記受け支持表面から排出し、かつ前記文書支持体を前記受け支持表面まで下げて他の文書シートの受け入れに備えた待機状態にするシーケンスを実行するための差動歯車列装置と
を備えることを特徴とする、文書支持体の持ち上げカム機構。
【請求項２】
平面状のシート受け表面を有する扁平床コンピュータ入力装置の自動文書フィーダにおいて、
前記扁平床コンピュータ入力装置に取り外し可能に取り付けられて、文書送り経路を前記平面状のシート受け表面と整列させる平面状のベース部材と、
前記ベース部材に取り付けられて、前記平面状のシート受け表面上への文書シートの載せ置きおよび取り出しを順次行う紙駆動装置と
を備え、
斜行することなく前記平面状の受け表面上への前記文書シートの載せ置きおよび取り出しを順次行う前記紙駆動装置は、
前記ベース部材に取り付けられた駆動軸と、
前記駆動軸上に離間して取り付けられた一対の駆動ローラと、
前記駆動軸にほぼ平行な、前記ベース部材に取り付けられた伝達軸と、
前記伝達軸に結合されて、所望の速度および方向で前記伝達軸を駆動する歯車列と、
前記伝達軸のほぼ中心部と前記駆動軸のほぼ中心部との間を前記一対の駆動ローラからほぼ等距離の位置で結合し、前記一対のローラにほぼ均等に前記モータの駆動力を分配する、別の歯車列リンク機構と
を含むことを特徴とする、平面状のシート受け表面を有する扁平床コンピュータ入力装置の自動文書フィーダ。
【請求項３】
媒体受け支持表面を有するコンピュータ入力装置の自動文書フィーダであって、
前記コンピュータ入力装置の媒体受け支持表面を経由して媒体入力トレイと媒体出力トレイとの間に延びる媒体移動経路を画定する、複数の相互接続可能なシャーシを備え、
前記複数の相互接続可能なシャーシは、媒体シートを前記コンピュータ入力装置の前記受け支持表面に載せ置き、かつ前記受け支持表面から取り出す際に、媒体シートを１枚ずつ順次載せ置き、かつ取り出すように、紙駆動機構が内部に取り付けられた主シャーシを含み、
前記紙駆動機構は、媒体シートを前記コンピュータ入力装置の前記受け支持表面に載せ置き、かつ前記受け支持表面から取り出す際に、媒体シート１枚ずつと順次係合して、前記載せ置きおよび取り出しのプロセス中におけるシートの斜行を実質的になくすことを特徴とする、媒体受け支持表面を有するコンピュータ入力装置の自動文書フィーダ。
【請求項４】
前記主シャーシに取り付けられ、歯車列を有するモータと、
両端のうちの一方が前記歯車列に結合され、かつ両端のうちの他方が前記主シャーシに取り付けられた伝達軸と、
前記伝達軸に結合された歯車列リンク機構と、
前記歯車列リンク機構に結合されて、前記モータにより複数の駆動ローラの駆動を行い、かつ前記複数の駆動ローラを離間させた状態で支持する、ばね負荷された紙駆動ローラ軸と
をさらに備えることを特徴とする、請求項３に記載の媒体受け支持表面を有するコンピュータ入力装置の自動文書フィーダ。
【請求項５】
前記歯車列リンク機構は、前記複数の駆動ローラから等距離の位置で前記紙駆動ローラ軸に結合され、それによって、前記歯車列リンク機構の力が前記複数の駆動ローラに等しく加わって、前記載せ置きおよび取り出しのプロセス中におけるシートの斜行を実質的に防止することを特徴とする、請求項４に記載の媒体受け支持表面を有するコンピュータ入力装置の自動文書フィーダ。
【請求項６】
コンピュータ入力装置の受け走査表面に向けて、および前記受け走査表面から媒体シートを搬送する平衡駆動機構であって、
前記コンピュータ入力装置の媒体受け走査表面を経由して媒体入力トレイと媒体出力トレイとの間に延びる媒体移動経路を画定する、複数の相互接続可能なシャーシと、
前記複数の相互接続可能なシャーシのうちの１つに取り付けられて、媒体シートを前記コンピュータ入力装置の前記受け走査表面に載せ置き、かつ前記受け走査表面から取り出す際に、媒体シート１枚ずつと順次係合して、載せ置きおよび取り出しのプロセス中におけるシートの斜行を実質的になくす、一対の離間した平衡駆動ローラと、
前記複数の相互接続可能なシャーシのうちの１つに取り付けられ、歯車列を有するモータと、
両端のうちの一方が前記歯車列に結合され、両端のうちの他方が前記複数の相互接続可能なシャーシのうちの１つに取り付けられた、伝達軸と、
前記伝達軸に結合された歯車列リンク機構と、
前記歯車列リンク機構に結合されて、前記モータにより前記一対の平衡駆動ローラの駆動を行い、かつ前記一対の平衡駆動ローラを離間した状態で支持する、ばね負荷された紙駆動ローラ軸と
を備えることを特徴とする、平衡駆動機構。
【請求項７】
前記複数の相互接続可能なシャーシのうちの１つは主シャーシであり、
さらに、前記主シャーシに取り付けられて、印刷媒体のシートが前記入力トレイと前記出力トレイとの間の媒体経路の一部に沿って順次移動する際に、前記一対の平衡駆動ローラを印刷媒体のシートそれぞれと係合させるのに適切な向きで前記紙駆動ローラ軸を支持する、一対の離間したばね負荷取り付け体をさらに含むことを特徴とする、請求項６に記載の平衡駆動機構。
【請求項８】
前記一対の平衡駆動ローラはエラストマーの駆動ローラであることを特徴とする、請求項７に記載の平衡駆動機構。
【請求項９】
前記歯車列リンク機構は、前記一対の平衡駆動ローラから等しく離間した位置で前記紙駆動ローラ軸に結合され、それによって、前記歯車列リンク機構の力が前記一対の平衡駆動ローラに等しく加わって、前記載せ置きおよび取り出しのプロセス中におけるシートの斜行を実質的に防止することを特徴とする、請求項７に記載の平衡駆動機構。
【請求項１０】
前記歯車列リンク機構は、前記載せ置きおよび取り出しのプロセスをさらに行う枢動歯車列リンク機構であることを特徴とする、請求項９に記載の平衡駆動機構。
【発明の詳細な説明】
【０００１】
【発明の属する技術分野】
本発明は、一般的なハードコピー文書装置に関し、更に詳細には、切断シート印刷媒体が配置される文書支持および持ち上げ機構を備えた自動文書フィーダ装置に関する。
【０００２】
【従来の技術】
従来、複写機、プリンタ、通信ファクシミリ機、文書スキャナなどにおけるハードコピー文書を作成し、又は、複製する自動化事務機が多用されている。複写装置などには、切断シート印刷媒体の１枚のシートが、例えば、搬送された文書シートを順次走査して複写し、又は、コンピュータモニタの表示を印字して行なうステーションに自動的に載せ置き、及び、取り出しを行なうための自動文書フィーダ（ＡＤＦ）を備えている。
【０００３】
この動作に続いて、ＡＤＦでは、そのシートが取り出され、また、次のシートをステーションに送出する。手動操作を必要としないＡＤＦによるシートの連続する流れ及び位置決めによって、作業時間か減少する。すでに印刷が行われた媒体（今後、文書と記載する）は、必要な枚数の複写を作成するために走査ステーションに正確に整列させる必要がある。
【０００４】
ＡＤＦを備えた事務機に関連する主な問題は、一般的に紙詰まりであり、時折生ずる送り誤り、及び、重なったシート送りである。紙詰まりは、動作が中断し、自動搬送を再開するまでに人手による回復作業が必要となる。重なったシート送りでは、コピーに脱落ページが発生する場合がある。
【０００５】
代表的な商業用ＡＤＦは、特に、水平入力トレイを備えた装置において、取出ローラが１枚のシートを確実に取り出すために文書シート予備取出機構が必要である。スキャナ用の大部分の商業用ＡＤＦは、静止走査ヘッドを通過する際の文書をページを追って出力トレイ内に移動させる。しかし、これは予備走査又は他の多数走査動作を困難にし、又は、不可能にして、走査出力の品位を低下させてしまう。
【０００６】
ベルト式文書フィーダは、文書を平らな透明の走査用台床に設置するようになっている。このような１つの装置が本発明の共通の譲受人に譲渡されている米国特許第５，３４２，１３３号（キャンフィールド）に図示されている。
【０００７】
ベルト無し駆動装置が本発明の共通の譲受人に譲渡されている特許査定済み米国特許出願、出願番号０８／６５１，０６６（ヘンドリックス）で説明されている。
【０００８】
次の問題は、紙シートをスキャナ又は複写機のガラス上に配置したり、取り去ったりする際の文書が時として斜めになることである。この斜め配置によって、しばしば紙詰まりが発生することがある。このような従来技術の第１の方法は、紙駆動機構の軸をＡＤＦ構造に取り付け、軸をモータ及び歯車列又はタイミングベルトのリンク機構で回転させることである。モータ及びリンク機構もＡＤＦ構造に強固に取り付けられている。この方法では、２つの駆動ローラ間の法線力を平衡させるのが困難である。
【０００９】
剛いエラストマの硬度は、ばね定数として働き、ローラ直径、ローラの逃げ又は床に対するローラの位置の小さな違いが、全て２つのローラ間の法線力での差異を発生する。従来技術の第２の方法は、ＡＤＦ構造に設けられた軸にばねによる負荷を与え、軸端をモータ及び歯車列又はタイミングベルトのリンク機構で回転させることである。モータは、ＡＤＦ構造に強固に取り付けられている。リンク機構は、軸とともに移動し、モータのシャフトの周囲を回転する。この短所は、２つの駆動ローラ間の法線力を平衡させるのが不可能になるということである。リンク機構で発生する力が、駆動ローラの軸を順方向に移動させる場合と逆方向に移動させる場合とで等しくない。リンク機構は軸端に設けられているため、この不等力は、駆動ローラの軸を動揺させてしまい、一様でない法線力を生ずる。
【００１０】
従来技術の第３の方法は、今度もＡＤＦ構造に設けられた軸にばねによる負荷を与え、軸端をモータ及び歯車列又はタイミングベルトのリンク機構で、モータ及びリンク機構を軸とともに移動させて回転させることである。この短所は、２つの駆動ローラ間の法線力を平衡させるのが困難であること、及び、モータの吊り下げ装置が移動衝撃に感じ易い（モータの重量は必要な駆動ローラの法線力をはるかに超過しており、軸の他端にかかる平衡力を維持しながら一方の端でモータを持ち上げるために複雑な吊り下げ装置が必要である）ということである。
【００１１】
従来技術の第４の方法は、ＡＤＦ構造に設けられた軸にばねによる負荷を与え、軸を中間で回転させることである。モータ及びリンク機構の両方が軸とともに移動する。この方法の短所は、モータの重量が、必要な駆動ローラの法線力をはるかに超過している。したがって、幾何学的に制約のあるＡＤＦ構造の中間に複雑な吊り下げ装置が必要であること、及び、モータの吊り下げ装置が移動衝撃に感じ易いことである。
【００１２】
ＡＤＦが少ない作業場所形状係数（卓上足跡ということもある）になるためには、文書シートを垂直向きのトレイから入力及び出力するのが望ましい。垂直整列紙シート入力機構は、本発明の共通の譲受人に譲渡されている関連米国特許第５，３２０，４３６号及び第５，３２６，０９０号でホック等によって、その教示が行われている。
【００１３】
【発明が解決しようとする課題】
このように上記従来例では、簡単な紙搬送経路を有し、かつ、扁平床文書スキャナを採用しているハードコピー装置に適応できる廉価なＡＤＦが必要とされている。
【００１４】
本発明は、このような従来の技術における課題を解決するものであり、完全な紙搬送経路を有し、かつ、廉価で、扁平床文書スキャナを採用しているハードコピー装置に適用できる文書支持および持ち上げ機構を備える自動文書フィーダ装置の提供を目的とする。
【００１５】
【課題を解決するための手段】
上記課題を達成するために、本発明の文書支持および持ち上げ機構を備える自動文書フィーダ装置は、基本的に、扁平床スキャナ又は扁平床複写機などの扁平床入力装置に使用するモジュール式自動文書フィーダ（ＡＤＦ）を提供する。ＡＤＦは、解放可能にそれに取り付けられた際の扁平床スキャナ上に、又は、外に完全な紙経路を形成するための上部シャーシと下部シャーシとの間に設置された主シャーシを備える３つの単位シャーシからなる一組のシャーシを備えている。この３つの別々のシャーシからなるモジュール式構造は、その組立が容易（迅速かつ効率的）になる。すなわち、簡単な３シャーシモジュール式構造を有し、完全な紙経路を作り出す文書支持および持ち上げ機構を備える自動文書フィーダ装置を提供することが本発明の長所である。
【００１６】
本発明はシャーシ構造の簡単なプラスチック射出成形製造が可能なことが長所である。
【００１７】
本発明は極めて少数の基本的なＡＤＦユニットを使用して形体間の累積公差を極小にできることが長所である。
【００１８】
本発明はＡＤＦを工具を使用せずに精密に整列する取付蝶番機構を備えていることが長所である。
【００１９】
本発明はＡＤＦを基礎ユニットに急速接続及び解放を行なうことが長所である。
【００２０】
本発明はＡＤＦの持ち上げ、基礎ユニット複写面に直接触れてパンフレット及び本に対する手操作での複写を可能とすることが他の長所である。
【００２１】
本発明は低い横側面、小さい足跡（装置を載せ置く卓上のスペースに対応）の文書出力トレイを備えていることが他の長所である。
【００２２】
本発明は極めて少数の基本的ＡＤＦユニットを使用して製造組立時間及び技能要件を極めて少なく出来ることが更に他の長所である。
【００２３】本発明は確実なＡＤＦを提供しながら製造コストの低減を達成できることが更に他の長所である。
【００２４】
本発明は予備取り出し機構を不要にして取出ローラでの紙の補足を確実に出来るのが他の長所である。
【００２５】
本発明は駆動ローラ法線力が平衡した紙駆動機構を設けて、変形しないで紙シートを確実に載せ置き、かつ、取り出せることが他の長所である。
【００２６】
このような本発明の文書支持および持ち上げ機構を備える自動文書フィーダ装置は、扁平床スキャナ又は扁平床複写機などの扁平床入力装置に使用するモジュール式自動文書フィーダ（ＡＤＦ）にあって、解放可能にそれに取り付けられた際の扁平床スキャナ上に、又は、外に完全な紙経路を形成するための上部シャーシと下部シャーシとの間に設置された主シャーシを備える３つの単位シャーシからなる一組のシャーシを備えている。
【００２７】
この結果、簡単な紙搬送経路が形成され、かつ、廉価で、扁平床文書スキャナを採用しているハードコピー装置に適用できる。この場合、その組立が容易になる。すなわち、組み立てが、迅速かつ効率的に出来るようになる。
【００２８】
本発明の他の目的、特徴、及び長所は、下記の説明及び添付図面を考察することによって明らかになる。添付した図面において、図面を通じて類似参照記号は類似形体を表している。
【００２９】
本発明の好適な実施形態の上記特徴及びそれらを達成する方法は、添付した図面に関連する本発明の実施形態の下記説明を参照することによって明らかになり、本発明を最も良く理解できるものである。
【００３０】
【発明の実施の形態】
次に、本発明の文書支持および持ち上げ機構を備える自動文書フィーダ装置の実施の形態を図面を参照して詳細に説明する。この明細書で参照する図面は、特に注記する場合の他は、尺度に整合していないことを理解すべきものである。添付の図面において、類似する参照記号は類似する形体を表している。図１は本発明の文書支持および持ち上げ機構を備える自動文書フィーダ装置の実施形態における構成を示す斜視図である。以下、本発明の特定の実施形態を詳細に説明するが、これは本発明を実施する際に発明者が現時点で最良と考える実施形態を示している。代わりの実施形態も適用可能な時点で簡潔に説明する。ここでの参照は本発明を限定するものではなく、また、それから暗示されるべきではない。紙取り出し及び送り駆動ソフトウェア並びにファームウェアアルゴリズムは業界で周知であり、本発明の範囲外であるから、当業者の知識を仮定し、それに関する詳細説明をここでは行わない。すなわち、本発明の理解に必要としないものである。
【００３１】
下記に、本発明の好適な実施形態における自動文書フィーダ装置１０１を理解し易くするための概要を示す。
Ａ．モジュール構造全体
Ｂ．主シャーシ
Ｃ．上部シャーシ
Ｄ．下部シャーシ
Ｅ．取付蝶番
Ｆ．入力トレイの紙止め及び紙取り出し
Ｇ．紙駆動／文書支持
Ｈ．紙経路
Ｉ．持ち上げカム機構
【００３２】
以下、個別に説明する。
Ａ．モジュール構造全体
図１〜図３、図１０及び図３０を参照する。この図には本発明の好適な実施形態に従って構成され、扁平床スキャナを使用する自動文書フィーダが図示されている。自動文書フィーダを、適宜、ＡＤＦと記載する。
【００３３】
本発明の好適な実施形態では、自動文書フィーダとして扁平床スキャナを用いて説明するが、当業者は、扁平床複写機のような、いずれの扁平床入力装置にも利用できることを理解できるものである。
【００３４】
自動文書フィーダ装置１０１（扁平床スキャナ）はモジュール式であり、一般的に主シャーシ４０１（図４及び図５）、上部シャーシ６０１（図６及び図７）及び下部シャーシ８０１（図８〜図１１）を備えた一組の組立体又はシャーシを備えている。３つのシャーシ４０１，６０１及び８０１は、ともに組み立てを行うと、図３０で最も良く示された媒体入力トレイ４０３〜媒体出力トレイ８０３まで延在する媒体経路が形成される。本発明の好適な実施形態を理解するために、以下の説明とともに、図２８、図２９及び図３０を参照されたい。図２９は例示する上部ケース又は外シェル部材１００１を伴うＡＤＦ１０１の分解図を示しているが、図３０は、上ケース１００１が全般的にスキャナベゼル１１０１に対して所定位置にある状態のＡＤＦ１０１を示している。
【００３５】
３つのシャーシ４０１，６０１及び８０１は、それぞれ簡単に組立ることが出来るようになっている単位射出成形プラスチック部品である。商用的な実施形態の図をここに示してある。したがって、当業者は、図面に示した多数の形体は、動作の特徴ではなく、成形プロセスに関係していることを認識できるものである。射出成形プロセスの特徴は、設計事項であること及び実施形態における特有なものである。すなわち、特許請求された本発明を理解するためにこれ以上の説明を必要としないものである。
【００３６】
図２９から理解できるように、ＡＤＦ１０１を上ケース１００１とともに所定位置に組み立てると、その構造は、終端ユーザに入力トレイ４０３と背中合わせの簡単な入力文書スロット１０１３を提供する。この場合、積み重ねられた文書シートは横に、側面を下にして後向きに載せ置かれる。文書は、個別シート上の印刷の向きに関係なく「横長」の向きに載せ置かれることに注目する必要がある。末端ユーザに明らかな組立ＡＤＦ構造の唯１つの特徴は、入力トレイ４０３の後に上向きに突出している出力トレイ８０３であり、ここに揃えられた出力文書ページが、例えば、走査又は複写に続いて紙移動機構から受け取られる。
【００３７】
出力シートは、図２及び図３に最も良く示されるように、入力トレイ４０３の裏側と出力トレイ８０３の前側との間の間隙内で受け取る。特定の実施形態で設けられる制御パネルの形体、例えば、始動又は停止の押しボタンを上ケース１００１における、人の指での触れることが出来る場所に設けることも出来る。このモジュール式構造によって、完全な入力出力間の紙搬送経路が確立される。
【００３８】
Ｂ．主シャーシ
次に主シャーシ４０１を図４及び図５を参照して更に詳細に説明する。特定の実施形態に可能な程度の主シャーシ４０１は、射出成形プラスチックの単一部品である。主シャーシ４０１にはＡＤＦ１０１の動作機能形体、すなわち、モータ、歯車列、軸、紙取り上げローラ、文書持ち上げ組立体及び電子式制御機器を収容し、かつ、入力紙経路を確定する全ての形体が設けられている。主シャーシ４０１のいくつかの機能形体は、３つのシャーシ及び紙駆動機構の嵌入に関連している。すなわち、これら形体のこれ以後の説明に関連する。
【００３９】
図４及び図５で最も良く示されるように、主シャーシ４０１は、平面状の基体４０７を有する一体形成の主シャーシ外シェル部材４０５を備えている。入力トレイ４０３が、基体４０７から上方及び後方に立ち上がって設けられている。入力トレイ４０３は、垂直及び水平の両平面内に、凹形状の文書受け面４０９を有している。この二重凹形状は、多数シート入力文書（図示せず）のシートを正しく整列させること、及び、文書を剛くして紙詰まりが無いようにシートを搬送するために役立っている（１９９６年８月３０日にＨｏｎｇにより出願され、本発明と共通の譲受人に譲渡された「画像媒体受けトレイを有する画像関連装置及びそのトレイ及びそのトレイの設計方法」である米国特許出願、出願番号０８／７０６，０３２を参照のこと）。
【００４０】
更に、詳細に説明する。最初に文書を入力トレイ４０３の凹面形状に合致させてシートを通常の上縁又は下縁ではなく、その長手方向の縁に沿って整列させることによって、各シートを剛くし、個別のシートを取り上げ易くする（上記した米国特許第５，３２０，４３６号の１５欄の６５行以降をも参照のこと）。入力トレイステーション左部４１１及び入力トレイステーション右部４１２はそれぞれ、文書受け面４０９から突出し、入力文書のシートの整列に更に役立っている。図２８及び図２９に示すように、滑り紙長さ調節器、又は、単に「スライダ」、１００５を入力トレイ４０３に取り付けることが出来る。
【００４１】
以降で更に詳細に説明するように、主シャーシ外シェル部材４０５は、それぞれ機能的に関連する３つの空洞領域４１３，４１７及び４１９を有している（図４、図５）。この空洞領域４１３は、以降左側主シャーシ空洞４１７及び右側主シャーシ空洞４１９と称する空洞領域４１７，４１９の間に設置された中心空洞領域である。
【００４２】
特定の実施形態の設計を容易にするために、外シェル部材４０５の構造は、一群の上右側嵌入形体４１５（図４）及び一群の左側嵌入形体４１６（図５）を備えている。右群の嵌入形体４１５は、主シャーシ中心空洞領域４１３の右側に設けられているが、左群の嵌入形体４１６は、主シャーシ中心空洞領域４１３の左側に設けられている。嵌入形体４１５及び４１６の群の構成では、主シャーシ４０１を、その組み立てを迅速かつ効率良く出来るようになる。
【００４３】
これに関して、図２８及び図２９で最も良く示しているように、上部シャーシ６０１が嵌入形体４１５及び４１６との間で組み合って上部シャーシ６０１を主シャーシ４０１の中心空洞領域４１３の中に配置し易くしている。その上、主シャーシ４０１の後側も下部シャーシ８０１に組み合って係合するように構成されている。したがって、下部シャーシ８０１は、小ねじ１０１０のような一組の４本の小ねじによって、主シャーシ４０１の後側に容易に取り付けられる。これに関して、図５で最も良く示すように、ブッシング５０のような一組の成形ねじ保持ブッシングが設けられて、下部シャーシ８０１を主シャーシ４０１に小ねじで取り付けられる位置に整列させている。
【００４４】
上部シャーシ６０１が主シャーシ４０１に対して所定位置に設定されると、シート送り間隙が、入力トレイ表面４０９と上部シャーシ６０１の後部分（図３）との間で中心空洞領域４１３の近傍に形成される。入力トレイ４０３に載せ置かれた文書シートは、この間隙を通じて順次落下し、以後に詳細に説明するように、扁平床入力装置１１０１の支持面上に移動する。同様に、下部シャーシ８０１を主シャーシ４０１に対して所定位置に取り付けると、シート受け間隙が下部シャーシ８０１と主シャーシ４０１の下かつ後との間に形成される。
【００４５】
次に、左側主シャーシ空洞４１７を図４を参照して詳細に説明する。
この空洞領域４１７の体積は、その中に左側ステッパモータ１０３を受けるのに十分な大きさである。ステッパモータ１０３は、空洞領域４１３の内部に、適切な取付装置１０１０をもって取り付けられる。空洞領域４１７は、ステッパモータ１０３を空洞４１７の内部で組立し易くするために中心空洞領域４１３から外側に開いている。
【００４６】
次に、右側主シャーシ空洞４１９を図５を参照して更に詳細に説明する。右側空洞領域４１９も、この中に左側ステッパモータ１０３と同様の構造の右側ステッパモータ３０１を受けるのに十分な大きさの体積を有している。右側ステッパモータ３０１は、左側ステッパモータ１０３のように、通常の取付装置１０１０によって空洞領域４１９の内部に取り付けられている。
【００４７】
図２８，図２９及び図３１を参照して説明すると、歯車列又は伝導装置１００９、紙取出装置１２０１及び紙取出停止軸１２０３のような、ＡＤＦ１０１の他の機械要素は、それぞれのステッパモータ１０３及び３０１に、当業者にとって周知の慣用的な手段で結合されている。しかし、ステッパモータ１０３及び３０１の動作の順序が、制御器１００３で制御されることに注目すれば十分である。制御器１００３は、図２９で最も良く示されるように、制御器１００３をモータ１０３及び３０１の他にＡＤＦ１０１の他の電気要素と電気的に相互接続する電気ケーブル１００７を有する印刷回路板で構成されている。印刷回路板は、主シャーシ４０１の前空洞領域４２１の中に配置される寸法で構成されている。
【００４８】
Ｃ．上部シャーシ
次に、上部シャーシ６０１を図６及び図７を参照して更に詳細に説明する。主桁部材６０３が主シャーシの第１空洞４１３を入力トレイ４０３（図１〜図３及び図１０）に平行に横断するように設置されている。左側片持ち梁部材６０７及び右側片持ち梁部材６０８が、桁部材６０３の各端から前方に延在している。各片持ち梁部材６０７，６０８には、その下縁及び側縁に沿って、又は、他の場合特定の実施の必要に応じて、それぞれ主シャーシの嵌入形体４１６，４１５に組み合う嵌入形体が設けられている。これは上部シャーシ６０１が単位射出成形プラスチック部品であることに注目する必要があり、成形形体及び嵌入形体は、特定の構成実施形態に特有のものである。上部シャーシ６０１も図２８，図２９に示すように通常のファスナ１０１０によって主シャーシ４０１に固定されている。
【００４９】
図７に示したように、桁部材６０３の後には複数の突出フィン６０５が設けられている。上部シャーシ６０１を主シャーシ４０１の中に取り付けると、フィン６０５は、図３に示されるように、入力トレイの表面４０９に極めて近接している。文書を入力トレイ４０３に載せ置くと、この文書シートは、入力トレイの表面４０９と上部シャーシのフィン６０５との間に保持される。
【００５０】
成形板ばね形体６０９，６１０（図６）が設けられて、複数のブッシュを用いて伝達軸２００３（図３９）を保持している。分離器軸６２８（図２１）が、複数の成形捕捉軸受及び前記複数のブッシュを保持するために設けられた他の成形ばね６２２（図７）を用いて上部シャーシ６０１に取り付けられている。前記分離器軸６２８は、固定して取り付けられた中心紙分離器ホイール６３１（図２１）を支持している。前記分離器軸６２８の一端は歯車によってモータに結合され、紙送りサイクル中駆動される。
【００５１】
ばね保持部材６１１（図６）は、圧縮ばねを保持する。
【００５２】
Ｄ．下部シャーシ−出力トレイ
下部シャーシ８０１を、急速解放取付蝶番８２１とともに、図８〜図１９に更に詳細に図示している。下部シャーシ８０１の全体は、単位射出成形プラスチック部品である。入力トレイ４０３と同様に、そして、図９に最も良く示すように、文書出力トレイ８０３は、紙幅の半分、例えば、約４．２５インチに等しいＡサイズから法律（定型）用箋サイズの紙シートまでの紙幅の約半分の寸法範囲に、短い高さ形態係数で表される浅い凹曲率を与える表面８０５を有している。これを、ここでも、その長手軸方向に半円筒形の形状を形成した際に誘導する紙の剛性を利用している。
【００５３】
したがって、この実施形態は、出力トレイ引き出し延在部、ワイヤフレームクリップなどのような周知の従来技術の機構などの、文書シートの残りの半分を支持するためのものを必要としない低い高さ形状係数を備えることが出来る。前記した図８，図９において、上部シャーシ左支柱８０７及び上部シャーシ右支柱８０８は、下部シャーシ８０１との一体成形部品であり、出力トレイ表面８０５から前方に突出している。図２８、図２９に示したように、２つの支柱８０７，８０８は、下部シャーシ８０１を適切な成形嵌入形体を介在して主シャーシ４０１に適切な既知の又は専売形式のファスナ１０１０で取り付けるために用いられる。
【００５４】
出力トレイ８０３の下縁に沿って、棚付き文書シート出力案内８０９が、前方に突出している。出力トレイ紙案内フィン８１１（図８）が、棚８０９から上向きに突出して出力紙シートの横前縁を持ち上げ、これを出力トレイ表面８０５に沿って追随して導いている。
【００５５】
図２及び図３に最も良く示されているように、出力トレイ８０３は、入力トレイ４０１のように、垂直の向きを有している。２つのトレイ４０３，８０３の間の間隙は、揃えられた出力文書シートの取り出しのための通路を形成している。
【００５６】
図１１に示すような代わりの実施形態では、紙押下器８１３が出力トレイ８０３の表面８０５の中心領域に追加されている。紙押下器を取付けるには、（図３４に示したように）下部先端８１５を紙取出停止軸１２０３にスナップによって嵌合するように形成する。紙押下器８１３は、０１２０１マサチューセッツ州、ピッツフィールド、ワンプラスチックアヴェニューのゼネラルエレクトリック会社が製造している市場で入手可能なＣｙｃｏｌｏｙＴＭのような低摩擦材料で作成される。
【００５７】
この装置は、１６ポンド〜２４ポンドまでの形式の普通紙について、出力トレイの高さが文書シートの長さの少なくとも半分である際に、垂直に対して４５度未満のあらゆる鋭角で確実に動作することが実証されている。紙押下器８１３を用いれば、紙シートは円筒形状にされて剛くなる。押下器８１３が無ければ、垂直に対する出力トレイの傾きを十分に横にして紙シートを直立に維持すべきである。
【００５８】
Ｅ．取付蝶番
次ぎに、図８を参照して急速解放取付蝶番８２１を更に詳細に説明する。蝶番８２１は、スキャナ１１０１の支持表面に対して文書送り経路を精密に整列して扁平床スキャナ１１０１に取付けるよう組み立てた際にモジュール式シャーシ４０１，６０１及び８０１を使用可能にしている。蝶番８２１は、スキャナ１１０１から解放するための急速解放形体に結合していることにより、文書走査の目的でＡＤＦ１０１を少なくとも２つの別々のＡＤＦ／スキャナの向きを可能にする。
【００５９】
これに関して、図８に示したように、下部シャーシ８０１がＡＤＦ蝶番８２１のマウントとして役立つものである。図３０に示したように、この取付蝶番８２１は、３つのシャーシを組み立てて成るＡＤＦ１０１に適合する複写機又はスキャナに又は、このような複写機又はスキャナの扁平床走査面の上に設置するようになっているベゼル１１０１に取付けるための、及び、ＡＤＦを、このＡＤＦ装置全体を取り外さずに扁平床ベゼルから持ち上げ又は下げるための、二重の目的を達成する機構を形成している。
【００６０】
図８及び図１２〜図１５において、桁部材８２３は、一組の蝶番軸保持部材８２５，８２６，８２７，８２８，８２９，８３０を備えている。軸保持部材８２５，８２８及び８３０は、後向きであり、軸保持部材８２６，８２７及び８２９は、前向きである。図９及び図１０に示すように、下部シャーシ８０１は、３つの軸ケーシング８３１，８３２及び８３３を備えている。図８において、３つの下部シャーシ取付蝶番軸８３４は、各軸ケーシングが逆向き軸保持部材の補足対の間で軸に配置されている状態で、例えば、ケーシング要素８３１が保持部材要素８２５と８２６との間にある状態で、取付蝶番８２１を下部シャーシ８０１に図示したようにして、軸保持部材８２５〜８３０及び８３１〜８３３を介在かつ旋回可能に取り付けられている。なお、図１６〜図１９をも参照のこと。
【００６１】
図８〜図１３及び図１５までに示すように、一対の取付蝶番フランジ８３５が適切なファスナ１０１０によって取付蝶番８２１に取り付けられ、かつ、桁部材８２３から垂れ下っている。図３０に示すように、桁部材８２３と組み合わせられて、フランジ８３５が、組立済みＡＤＦを適合する複写機又はスキャナに、又は、このような複写機、あるいはスキャナの扁平床走査面の上に設置されるようになっているベゼル１１０１に取り付けるために使用される。フランジ８３５は、ＡＤＦの安定した正確な整列を形成するために十分な寸法ばかりでなく、走査する文書ページが、本又は雑誌の場合のように、ＡＤＦ全体をベゼル１１０１又は扁平床から取り外さずにＡＤＦを垂直に持ち上げるのに十分な長さを備えている。
【００６２】
この機能を容易にするには、フランジ８３５の下先端にベゼルの相補性リップ又は縁あるいはスキャナフランジスロットを補足する柔軟フック８３７を設ける（例えば、図３０のスリーブ１１０３を参照）。
【００６３】
ＡＤＦが蝶番８２１に旋回可能に取り付けられているため、ＡＤＦ上傾斜止めが設けられてＡＤＦを使用し易くしている。図９は、下部シャーシ出力文書シート案内及び棚８０９の底に、垂れ下りＡＤＦ上傾斜止８４１が設けられていることを示している。図１２は、取付蝶番８２１の桁部材８２３に相補性蝶番上傾斜止８４２が設けられていることを示している。好適な実施形態の上傾斜止８４１，８４２は、ＡＤＦの６５度の上方回転が可能になっている（図９の詳細平面Ｂ−Ｂ線の対応箇所を参照）。図１６〜図１９は、蝶番形体と下部シャーシ形体との嵌入状態を示す。図３０は、ベゼル１１０１に対して上方に傾いた位置にあるＡＤＦ１０１を示している。これはＡＤＦを適切なフランジスロットを備えた、即ち、受けスリーブ１１０３を備えたスキャナに取り付け易くなる。
【００６４】
Ｆ．入力トレイの紙止め及び紙取り出し
紙取出移動機構も主シャーシ４０１に収容されている。図３１は、本発明による入力トレイ紙止紙取出機構１２０１を示している。図３２は、機構が紙を載せ置き、又は、「ホーム」ポジションにある、入力トレイ４０３に対して所定位置に取り付けられた紙止機構１２０１を示し、上部シャーシは、この図には所定位置に図示されていない。図３３は、紙止紙取出機構が、その紙取り出し動作中に取る「後退」位置にある、入力トレイ４０３に対して所定位置に取り付けられた紙止機構１２０１を示している。
【００６５】
紙取出停止軸１２０３の中心に取り付けられているのは、紙取出ローラ１２０５である。紙取出ローラ１２０５は、一般的にゴム又はグリットの車輪面を有しており、固定軸受ハブ１２０７によって取り付けられている。一対の離間して設置された、ばね負荷紙止柵装置１２０９が取出ローラ１２０５を挟む両側に取り付けられている。止め部１２０９は、紙経路（Ｐ）の中に突出し、ＡＤＦ１０１に載せ置かれた紙シートのスタック（図示せず）を下方から支持する。
【００６６】
個別の紙が取出ローラ１２０５によってスタックから取り出されるごとに、止め部１２０９は、紙経路の外に一時的に回転し、取り出された一枚のシートを重力によりスタックから落とし、更に詳細に説明するように、紙経路に沿う出力トレイまでの移動を開始させる。取り出されたシートが止め部１２０９を越えると、止め部１２０９は、それらの元の静止位置にスナップバックしてスタック内に残っているシートを下方から支持する。
【００６７】
止柵装置（止め部）１２０９は、軸１２０３に取り付けられて取出ローラ１２０５上の紙スタックの変動を極小化する。図３１において、紙止め装置１２０９を更に詳細に説明する。各紙止柵装置１２０９は、ハウジング１２１１、一方向針クラッチ１２１３、及び、装置を図３２に示すように、そのホームポジションの方に片寄せる片寄せ用ねじりばね１２１５を備えている。ハウジング１２１１は、突出紙止柵タブ１２１７を備えている。
【００６８】
ねじりばね１２１５は、タブ１２１７が文書の多数のシート（例えば、最大２４ポンド形式までの法律用箋サイズの紙の５０枚のシート）を支持できるようにハウジング１２１１に十分な力を付与する。動作中、文書を入力トレイに載せ置くと（図３２の「Ｐ」と名付けた矢印を参照）、下向きの、すなわち、印刷側が入力トレイの表面４０９に対向している、紙シート（図示せず）の側縁は、入力トレイ４０３の表面４０９に設けられた整列孔１３０１を通して水平に突出している紙止柵タブ１２１７の上縁に静止する。同様に、孔１３０３が取出ローラ１２０５の紙接触面１２０６のための入力トレイ表面４０９に設けられて入力トレイ４０３から前方に突出している。
【００６９】
紙取出停止軸１２０３は、紙止取出機構１２０１をステッパモータ１０３に接続する。図３４を参照すると、モータ１０３への紙取出停止軸１２０３の取り付けは、標準のブッシング１５０１で行なわれる。
【００７０】
紙シートの中心が捉えられるため、取出ローラ１２０５で加えられる文書を移動させる力は、クラッチ１２１３を解放してタブ１２１７を図３３に示すように経路外に押し出すのに十分である。ねじりばね１２１５は、紙の後縁がタブの最外位置を越えた後、タブ１２１７をホームポジションに跳ね返す。換言すれば、紙止取出機構１２０１を付加することによって、本発明は、紙が重力で取出ローラの中に落下し、予備取り出し機構の必要性をなくしているという点で垂直入力トレイ４０３を利用している。
【００７１】
Ｇ．紙駆動／文書支持
紙駆動文書支持機構は、主シャーシ４０１の下往復台に取り付けられている。図３５は、組み立てられた紙駆動装置２００１（図３９に詳細を示す）及び組立られた組合体では、紙圧力機構１６１１という文書支持体１６０１を示している。
【００７２】
本発明のＡＤＦは、原文書のシートを、前記した米国特許出願、出願番号０８／６５１，０６６（ヘンドリックス等）に示された文書支持方法によってスキャナの扁平床ガラス１７０１（図３６〜図３８）に順次、載せ置き、又は、取り出す手法を利用している。最高品質の走査機種を提供するために、文書シートをスキャナのガラス１７０１に確実に押し付ける必要がある。文書支持体１６０１を形成する組立体は、成形ＡＢＳプラスチックのような剛い平面状材料を用いた持ち上げ板１６０３を備えている。
【００７３】
持ち上げ板１６０３の下面に取り付けられているのは、最適には、カリフォルニア州、チノ、ラモナアヴェニュー１３８８５のＢｏｙｄ会社から市販されているポリウレタンの、スポンジゴムパッド１６０５であり、走査ステーションで走査床ガラス１７０１上の文書に対して文書支持圧力を付与する。スポンジパッド表面には、最適には０１２０１マサチューセッツ州ピッツフィールド、ワンプラスチックスアヴェニューのゼネラルエレクトリック会社から市販されている、ポリカーボネートフィルム、商標名「レクサン」、で作成された薄いプラスチックフィルム１６０７を設けて文書シートとの低摩擦接点として動作させる。
【００７４】
文書支持組立体１６０１及び印刷媒体シートをスキャナの扁平床又はベゼルに載せ置き、又は、取り出すときに組立体を持ち上げることと、上記の使用材料の組合せとにより、摩擦を低減するとともに、静電気の帯電を極少にしてシート送りの確実性を向上させる。
【００７５】
好適な実施形態では、文書支持組立体１６０１が、この組立体を主シャーシの第１空洞４１３を通じて滑らせることによって、主シャーシ４０１の下往復台に取り付けられている。文書支持組立体１６１１は、主シャーシ４０１の第１空洞４１３を通じて挿入され、前フック１６１０，１６１２は、往復台の下方で、その前方に主シャーシの成形形体と組み合わされ、ばね１６１４で負荷されたブッシング１６１３は、文書支持組立体１６０１を、主シャーシの成形形体の後方に向かって、図２８に示したように第１空洞４１３に隣接して保持するように設けられている。本発明は、文書シートを、文書シートがガラスに対して載せ置き、及び、取り出される際に、組み立てられた紙駆動装置２００１及び文書支持体１６０１を持ち上げることによって、ガラス１７０１とプラスチックフィルム１６０７との間に文書が捉えられてしまう問題を解決している。
【００７６】
持ち上げカム機構１６０９は、
（１）文書支持組立体１６０１を持ち上げて紙のシートを矢印１６１１で示したように、組立体とスキャナの床ガラス１７０１との間に入る、図３６に示した前方位置、
（２）文書支持組立体１６０１をスキャナの床ガラス１７０１の上部に下ろす図３７に示した中心位置、及び
（３）文書支持組立体１６０１を持ち上げて紙のシートを、スキャナの床ガラス１７０１から押し出す図３８に示した後方位置、の間を移動する。
【００７７】
カム持ち上げ機構１６０９を更に詳細に説明する。
図３９は、紙駆動機構２００１を詳細に示している。可逆ステッパモータ３０１が、通常の歯車列又は他の伝導装置２００５によって伝達軸２００３に結合されている。一対の紙駆動ローラ２００７，２００８が、紙駆動ローラ軸２００９に取り付けられている。紙駆動ローラ軸２００９は、図３４に示すＡＤＦ主シャーシ４０１の構造へ取り付けるための、ばね負荷された取付け体２０１１，２０１２（図３９）を備えている。歯車列リンク装置２０１３を使用して紙駆動ローラ２００７，２００８を、軸の略中間点で軸２００９によって回転させている。
【００７８】
歯車列リンク装置２０１３は、軸とともに移動し、伝達軸２００３の周囲を旋回する。モータ３０１及び伝達軸２００３はともに、ＡＤＦ主シャーシ４０１の構造に強固に取り付けられている。この構成の結果、２つの駆動ローラ２００７，２００８の法線力は、歯車列リンク装置の力が２つの駆動ローラの中間に加えられ、すなわち、均等に分布されるため平衡している。この平衡した法線力は、斜行せずに文書シートを確実に載せ置いて、その取り出しが行われる。すなわち、装置の伝導装置に結合されたばね負荷された紙駆動ローラ軸２００９がエラストマの駆動ローラ２００７及び２００８を作動させて文書シートを、紙を変形させずに扁平床スキャナ１１０１の支持面に載せ置いて、取り出し易くするのに役立つようにしている。歯車列リンク装置２０１３を使用して紙の載せ置き、及び、取り出し中に持ち上げカムに運動を与えて文書支持体１６０１をガラスから持ち上げる（図３６及び図３８）。
【００７９】
Ｈ．紙経路
図２１〜図２７は、主シャーシ４０１、上部シャーシ６０１及び下部シャーシ８０１によって確定する紙経路の動きを示す。この実施形態では、ベゼル９０２が取り付けられている。図２１は、文書シート９０１が載せ置かれた状態の装置１０１を示している。紙止取出機構１２０１が図３２に示す位置に配置されており、文書シート９０１が２つの紙止取出機構１２０１及び紙取出ローラ１２０５上に静止している。持ち上げカム機構１６０９は、図３７に示した場合と同一の位置にあり、文書支持組立体１６０１がその下降した位置にある。
【００８０】
図２２は、紙取り出し動作中の関連装置形体の位置を示している。紙取出ローラ１２０５がモータ駆動され、シート９０１を下方にトレイ内に引き込むように回転する。シート９０１は下方に送られ、入力トレイの表面４０９と上部シャーシ６０１のフィン６０５との間で整えられる。紙止取出機構１２０１のタブ１２１７は、図３１を用いて説明したように、シート９０１によって経路外に移動する。シート９０１の前縁９０３は、駆動ローラ２００７，２００８の側に導びかれる。駆動ローラ２００７，２００８の作動、シート９０１の前縁９０３を受ける回転への転回、及び、シート９０１の前縁９０３を走査ステーションの側に導く際に、カム機構１６０９をその前方位置に移動させ、文書支持組立体１６０１を持ち上げてシートが下方で滑るようにする。
【００８１】
紙取り出しサイクル中に、図２３に示したように、シート９０１の前縁９０３は、駆動ローラ２００７，２００８に到達する前にガラス床の表面に接触する。ガラス１７０１に接すると、駆動ローラ２００７，２００８に到達する前に、シートの座屈がシートの全ての偏りを除去することが判明している。
【００８２】
図２４において、駆動ローラ２００７，２００８は、シートをガラス１７０１の上に押し上げる。シート１９０１の後縁は、シートが走査のため設置されたときに駆動ローラ２００７，２００８に接触したままである。持ち上げカム機構１６０９は、その中心位置に戻り、文書支持組立体１６０１をシート９０１の上部に下ろす。
【００８３】
走査に続いて、図２７に示すように、駆動ローラ２００７，２００８は、シート送りサイクルとは逆の方向に駆動される。持ち上げカム機構１６０９は、図３８に示す、その後方位置に移動して、文書支持組立体１６０１を持ち上げて紙シート９０１をガラス１７０１から押し出すことが出来るようにする。駆動ローラ２００７，２００８の下に保持されているシート９０１の後縁は、シートの「前縁」９０５になっている。下部シャーシ出力文書シート案内及び棚８０９は、前縁９０５を受け付ける。シートは出力トレイ駆動ローラ１５０３の間を駆動する（図３４を参照）。出力トレイ駆動ローラ１５０３シート９０１を上方に出力トレイ８０３に導き、そこでシート９０１は図２６に示すように棚８０９の後に保持する。持ち上げカム機構１６０９は、その中心位置に戻る。
【００８４】
Ｉ．持ち上げカム機構
図２１〜図２７及び図４０〜図４４において、文書シートを透明ガラス支持面１７０１に載せ置いたり、ここから取り出したりする間に組立済み紙駆動機構２００１及び文書支持体１６０１を持ち上げ易くする持ち上げカム機構１６０９が示されている。持ち上げカム機構１６０９は、このような載せ置き、及び、取り出しの期間中に、文書シートを支持面１７０１とプラスチックフイルム１６０７との間を移動させるという問題を解決している。
【００８５】
図２１〜図２７及び図４０〜図４４において、持ち上げカム機構１６０９を詳細に説明すると、持ち上げカム機構１６０９は、全体的なカムリンク装置１６１５及び全体的に示した差動歯車列装置１６１７を備えている。カムリンク装置１６１５及び差動歯車列装置１６１７は、連動して文書支持体１６０１の受動的自動持ち上げ動作を容易にし、確実なシート送り目的のために摩擦及び静電気の帯電を低減している。
【００８６】
図４０〜図４４で最も良く示すように、カムリンク装置１６１５は、モータ板１６１９とシャーシ４０１との間で回転可能に支持されている細長い伝達軸２００３を備えている。一対の伝達歯車の８００１及び８００２は、軸２００３の上に互いに間隔を有してプレスで取り付けられ、以降で更に詳細に説明する自由回転持ち上げカム８００５によって使用可能とされる持ち上げ動作を容易にしている。
【００８７】
伝達歯車８００１は、伝達歯車８００２より大きい直径を有している。駆動モータ１０３から突出したモータピニオン歯車１６２１と噛み合うように軸２００３に対して取り付けられている。このようにして、モータピニオン歯車１６２１は、モータ１０３の回転駆動を、軸２００３を所要の回転速度で、その軸周りに回転させる伝達歯車８００１に伝達する。
【００８８】
持ち上げカム８００５及び自由回転伝達アイドラ歯車８００３は、軸２００３に伝達歯車８００２の内側に取り付けられている。アイドラ歯車８００３及び持ち上げカム８００５は、持ち上げカム８００５の方が軸２００３の遠い端部から離れて取り付けられている状態で、相互にわずかに離れている。細長い持ち上げカムピン８００６が、持ち上げカム８００５にくさびで固定して取り付けられ、ここから軸２００３に平行かつ外側に突出している。持ち上げカムピン８００６の遠い端部に取り付けられているのは、小さい直径の部分及び大きい直径の部分を有する自由回転持ち上げカム複合歯車８００４である。小さい直径の部分はアイドラ歯車８００３と噛み合い、大きい直径の部分は伝達歯車８００２と噛み合っている。
【００８９】
文書をスキャナ床ガラス支持表面１７０１に、及び、ここから移動させるために、自由回転駆動ローラ２００７は、遠い端部に駆動歯車８００８がプレスで嵌めこまれて取り付けられている駆動軸２００９に、プレス加工で取り付けられている。駆動軸２００９は、伝達軸２００３から離れ、これと平行に取り付けられ、モータ板１６２１と自由回転クラスタハウジング８０１０との間に支持されている。
【００９０】
クラスタハウジング８０１０は、駆動歯車８００８の内側に取り付けられ、伝達軸２００３及び駆動軸２００９の上に、これらの軸の間に支持されている。クラスタハウジング８０１０は、軸２００３及び２００９に平行な平面内で、ここから突出する細長いハウジングピン８００９を備えている。自由回転クラスタハウジング複合歯車８００７は、軸２００３と２００９との間でピン８００９によって取り付けられている。複合歯車８００７は、駆動歯車８００８に噛み合う大直径の部分及び伝達アイドラ歯車８００３に噛み合う小さい直径の部分を有しており、以降で説明するように持ち上げ動作を更に容易にしている。
【００９１】
図４３及び図４４で最も良く示すように、持ち上げカム８００５は、また、以降で詳細に説明するように、持ち上げカム８００５の移動を制限する一対の離間して設けられた止め８００５Ａ及び８００５Ｂを備えている。
【００９２】
次に図２１〜図２７及び図４０〜図４２を参照して持ち上げカム機構１６０９の動作を説明する。持ち上げカム８００５は、図４０で最も良く示される下降位置から始動する。モータのピニオン歯車が伝達歯車８００１と噛み合って時計回りに回転するのに伴い、伝達歯車８００１が、伝達軸２００３に反時計回り回転を伝達する。伝達軸２００３は、持ち上げカム８００５を持ち上げ、図４１に示す最終持ち上げ位置まで移動させる。
【００９３】
更に、詳細に説明する。伝達歯車８００２が軸２００３に固定されているため、歯車８００２は、軸２００３と同じ回転速度で同一の反時計回りに回転する。しかし、アイドラ歯車８００３は、駆動ローラ２００７とスキャナのガラス床１７０１との間の摩擦のため固定位置で停止している。これに関して、アイドラ歯車８００３は、歯車８００３，８００７及び８００８の歯車列を固定状態にする。同様に、歯車８００３，８００８及び８００７の歯車列が固定されているため、駆動軸２００９と、これに関連する駆動ローラ２００７及びクラスタハウジング８０１０も、そのそれぞれの位置に固定されたままである。しかし、自由回転持ち上げカム複合歯車８００４は、伝達歯車８００２及びアイドラ歯車８００３に噛み合っており、この結果、応答して回転し、持ち上げカム８００５及び持ち上げカムピン８００６を一体として移動させ、伝達軸２００３に対して時計回りに旋回させる。
【００９４】
持ち上げカム８００５が、図４１に示すように、その最終持ち上げ位置まで移動してしまうと、駆動ローラ２００７は、文書を前方に駆動し始める。更に詳細に説明すれば、駆動ローラ２００７は、運動を文書に対し、次のようにして伝達する。持ち上げカム８００５の運動は、持ち上げ板１６０３にくさびで固定された止め８００５Ａ及び８００５Ｂによって停止している。持ち上げカムが固定位置にある状態で、持ち上げカム複合歯車８００４は、ピン８００６の上を歯車８００３，８００７及び８００８からなる歯車列に回転運動を伝達するように時計回りに回転し続ける。
【００９５】
これに関して、歯車８００３は反時計回りに回転するが、この運動はピン８００９の周囲の歯車８００７の時計回りの運動によって駆動歯車８００８に結合する。前記したように、文書が駆動ローラ２００７の摩擦力によって前方に引かれることを理解すべきである。駆動ローラ２００７は、クラスタハウジング８０１０が固定位置に保持されていて、歯車８００７が、ピン８００９の周囲を回転して、この回転運動を歯車８００８及び軸２００９に伝達するため、反時計回りに回転する。
【００９６】
文書が走査のための正しい位置に移動してから、持ち上げカム８００５は、図４０に示す元の下降位置まで移動する。伝達軸２００３は、伝達歯車８００３を同一の時計回りに回転させ、反対の時計回りに回転し始める。歯車８００２及び８００３に噛み合う持ち上げカム複合歯車８００４は、反対方向に回転して持ち上げカム８００５及び、その関連ピン８００６を伝達軸２００３の周囲に旋回させる。駆動ローラ２００７、駆動軸２００９及びクラスタハウジング８０１０の運動は、回転運動が歯車８００７及び８００８を介在して伝達できないため固定されたままである。
【００９７】
これに関して、モータのピニオン歯車は反時計回りに回転するため、時計回りの運動を伝達歯車８００１を介在して伝達軸２００３に伝えることを理解すべきである。伝達軸２００３の回転は、伝達歯車８００２を同一の回転速度で同じ方向に回転させるが、アイドラ歯車８００３は静止位置に停止している。そして、駆動ローラ２００７と文書との間の摩擦が歯車８００８，８００７及び８００３からなる歯車列を固定する。その後、持ち上げカム８００５は固定位置に固定され、この間に文書は走査されている。
【００９８】
文書の走査が終了した後に持ち上げカム８００５は、持ち上げられて文書をスキャナのガラス床から移動できるようにする。モータのピニオン歯車は、時計回り回転を伝達軸２００３及び伝達歯車８００２に伝えるように、反時計回りに回転する。すなわち、軸２００３は、伝達歯車８００１とモータのピニオン歯車と噛み合って回転し、歯車８００２が、軸２００３に固定されているために、その回転を行う。前記したように、駆動ローラ２００７と文書との間の摩擦が歯車８００３，８００７及び８００８の歯車列を固定位置で動かないようにする。
【００９９】
次に、持ち上げカム８００５が持ち上がり始める。複合歯車８００４は、ピン８００６上を自由に回転し、歯車８００２及び８００３に噛み合って持ち上げカム８００５及びその固定ピン８００６を伝達軸２００３の周囲を旋回させる。駆動ローラ２００７及び駆動軸２００９は固定位置に止まっている。ハウジングクラスタ８０１０及び歯車８００７，８００８は、固定されたままであり、したがって、駆動軸２００９に回転運動が伝達されない。持ち上げカム８００５の最終持ち上げ位置を図４２に示すが、ここでは止め部８００５Ａ及び８００５Ｂが持ち上げカム８００５による運動を禁止するようにしている。
【０１００】
持ち上げカム８００５が図４２に示す、その最終位置まで持ち上げられると、文書はスキャナガラス床１７０１上の、この支持位置から排出される。伝達軸２００３は時計方向に回転し続けるが、持ち上げカム複合歯車８００４は、静止位置でピン８００６の周囲を反時計回りで回転する。歯車８００４の回転は、歯車８００７に伝達され、駆動歯車８００８、駆動軸２００９及び駆動ローラ２００７を時計回りに回転させる。このようにして、駆動ローラ２００７の時計回りでの回転は、文書をスキャナ床１７０１から逆方向に移動させる。
【０１０１】
文書がスキャナ床１７０１から移動し、この終了から、ピニオン歯車の回転方向が逆転し、これによって伝達軸２００３が反時計回りで回転する。軸２００３の反時計回りの回転は運動を持ち上げカム８００５に伝達して下がり位置まで戻す。更に詳細に説明する。複合歯車８００４は、時計回りで回転し、歯車８００２及び８００３に係合する持ち上げカム８００５及びその関連ピン８００６を伝達軸２００３の周囲で旋回させる。駆動ローラ２００７とガラススキャナ床１７０１との間の摩擦が歯車列８００８、８００７及び８００３を固定位置で動かないようにする。持ち上げカム８００５は、次の文書を読むための下降位置に来て静止する。
【０１０２】
前記したように、当業者は、持ち上げカム８００５が図４０に示した下降位置にある状態で始動し、同じ下降位置で停止する所定の順序で駆動されることを理解できるものである。この順序は、
１．持ち上げカム８００５を下降位置から上方に、文書をスキャナ床１７０１の上に移動させる延在位置まで移動させること、
２．文書を駆動ローラ２００７によりスキャナ床１７０１まで駆動すること、
３．持ち上げカム８００５を、走査動作を始める前にその下降位置まで下げること、
４．文書走査動作の完了を待つこと、
５．持ち上げカム８００５を下降位置から上方に延在位置まで移動させ、文書をスキャナ床１７０１から移動させ、完全な文書走査動作が行なわれるのを待つこと、
６．文書をスキャナ床１７０１から逆方向に駆動すること、及び
７．持ち上げカム８００５をその下降位置に下げ、別の駆動／排出サイクルを待つことからなる。
【０１０３】
本発明の好適な実施形態の、これまでの記載は、例示及び説明の目的で提示したものである。網羅的に記載したり、本発明を精密な形態に、又は、開示した例示実施形態に限定しないものである。多数の修正案及び変形案が当業者には明らかである。例えば、射出整形プラスチックに代えて、シャーシをシート金属のスタンピング又は他の既知の製作法を適用できる。同様に、同一の結果を達成するのために説明したいずれの方法ステップも他のステップに変更することが出来る。実施形態は、本発明の原理及びその最良態様の実施用途を最も良く説明し、これによって当業者が様々な実施形態について、及び様々な修正案によって、本発明を特定の用途又は考えている実施に適するものとして理解できるようにするために選定し、その説明を行ったものである。本発明の範囲を本書に付記した特許請求の範囲及びその等しい事項で規定するものである。
【０１０４】
以下に本発明の実施の形態を要約する。
【０１０５】
＜１＞ 媒体受け支持表面（１７０１）を有するコンピュータ入力装置（１１０１）である文書支持および持ち上げ機構を備える自動文書フィーダ装置（１０１）において、
内部の上方に延在する入力トレイ（４０３）と上方に延在する出力トレイ（８０３）との間にコンピュータ入力装置（１１０１）の媒体受け支持表面（１７０１）を通じて延在する媒体経路が形成され、かつ、この下側に文書シートを静電気が帯電せずに摩擦を有しないで支持表面及び支持表面の下部を通過させるための上昇位置と文書シート上にあってコンピュータ入力装置（１１０１）の媒体受け支持表面（１７０１）上で文書走査を行うための下降位置との間を移動する文書支持体（１６０１）を備えるモジュール式のハウジング（４０１，６０１，８０１）と、
前記ハウジング（４０１）の内部に取り付けられ、前記入力トレイ（４０３）の中心部分を通過し、かつ、突出して入力トレイ（４０３）内に積み重ねられた複数の媒体シートの個別の一枚を順次に取り出し、この個別シートを前記コンピュータ入力装置（１１０１）の媒体受け支持表面（１７０１）の方向に移動させる紙取出移動機構（１２０１）と、
前記文書支持体（１６０１）に結合して文書支持体（１６０１）を前記上昇位置まで持ち上げるためのシーケンスを実行し、前記文書シートを前記紙取出移動機構（１２０１）からコンピュータ入力装置（１１０１）の媒体受け支持表面（１７０１）に前進させ、上部に横方向で配置された文書支持体（１６０１）を前記文書シート上に下ろして文書走査を行い、文書支持体（１６０１）を上昇位置まで持ち上げ、文書シートを前記支持表面（１７０１）からシート送りによって排出し、文書支持体（１６０１）を、他の文書の受け入れを考慮して支持表面（１７０１）の準備完了位置に下げるための持ち上げカム機構（１６１５，１６１７）と、
を備える文書支持および持ち上げ機構を備える自動文書フィーダ装置（１０１）。
【０１０６】
＜２＞ 前記モジュール式のハウジング（４０１，６０１，８０１）は、平面状基台（４０７）が設けられた主シャーシ外シェル部材（４０５）を有する主シャーシ（４０１）を備えており、前記入力トレイ（４０３）は、前記基台（４０７）から上方に突出し、垂直平面内及び水平平面内ともに凹形状の文書受け表面（４０９）を備えてコンピュータ入力装置（１１０１）の受け支持表面へのシートの載せ置きのために紙シートを整列させる、上記＜１＞に記載の文書支持および持ち上げ機構を備える自動文書フィーダ装置（１０１）。
【０１０７】
＜３＞ 前記紙取出移動機構（１２０１）は、
前記主シャーシ（４０１）に取り付けられ、シャフトブッシング（１５０１）を備えるモータ（１０３）と、
この一端で前記シャフトブッシング（１５０１）に結合され、かつ、他端で前記主シャーシ（４０１）に取り付けられて紙の取り出し及び止めるための紙取出停止シャフト（１２０３）と、
前記紙取出停止シャフト（１２０３）に取り付けられて前記入力トレイ（４０３）内に積み重ねられた媒体入力シートのスタックを下方から支持し、かつ、個別シートがスタックから取り出されるごとに媒体シートの個別の一枚を順次解放するための一対の離間して設けられる止柵装置（１２０９）と、
前記停止シャフト（１２０３）に止柵装置（１２０９）の個別の１つから等間隔に取り付けられ、媒体シートの個別の一枚をコンピュータ入力装置（１１０１）の受け支持表面に移動させるために紙取出ローラ（１２０５）と、
を備える、上記＜２＞に記載の文書支持および持ち上げ機構を備える自動文書フィーダ装置（１０１）。
【０１０８】
＜４＞ 前記表面（４０９）は、前記一対の離間して設けられた止柵装置（１２０９）及び前記紙取出ローラ（１２０５）と入力トレイ（４０３）に載せ置おいた媒体シートの個別の一枚との係合のために一組の離間して設けられた孔（１３０１、１３０３）を有する上記３記載の文書支持および持ち上げ機構を備える自動文書フィーダ装置（０１０８）。
【０１０９】
＜５＞ 前記止柵装置（１２０９）における１つは、
前記停止シャフト（１２０３）に取り付けられ、前記入力トレイ（４０３）に載せ置いた媒体シートのスタックを下方から支持するために下方に突出する円形のハウジング（１２１１）を備えており、
孔（１３０１）を貫通して突出する前記タブ（１２１７）は、前記停止シャフト（１２０３）が前記モータ（１０３）によりホームポジションに回転した際に前記入力トレイ（４０３）に載せ置かれた媒体シートのスタックを下方から支持し、孔（１３０１）から突出しない前記タブ（１２１７）は、前記停止シャフト（１２０３）が前記モータ（１０３）によって紙取り出し位置に回転したときに印刷媒体の一枚のシートを解放して重力によってコンピュータ入力装置（１１０１）の受け支持表面の下方に落下させるものであり、
前記止柵装置（１２０９）の１つは、更に、
前記ハウジング（１２１１）の内部に取り付けられ、ハウジング（１２１１）に片寄せを行う力でホームポジションに片寄せし、前記タブ（１２１７）が所定の紙重量の印刷媒体のシートの所定数を支持するばね（１２１５）、及び 取り出された印刷媒体の一枚のシートに係合し、前記ハウジング（１２１１）及びこの関連タブ（１２１７）を解放して紙取り出し位置に回転させ、取り出された印刷媒体シートを重力によってコンピュータ入力装置（１１０１）の受け支持表面の方に落とすためのクラッチ（１２１３）と、を備え、
前記ばね（１２１５）は、前記ハウジング（１２１１）及び関連タブ（１２１７）を、取り出された印刷媒体のシートが前記タブ（１２１７）で支持されなくなった後から、ホームポジションにスナップバックする、上記＜４＞び記載の文書支持および持ち上げ機構を備える自動文書フィーダ装置（１０１）。
【０１１０】
＜６＞ 前記紙取出ローラ（１２０５）は、孔（１３０３）を貫通して突出し、トレイ（４０３）に積み重ねられた印刷媒体の下方のシートに係合し、この係合を前記クラッチ（１２１３）内に移動させてクラッチ（１２１３）を解放し、タブ（１２１７）を紙の搬送路から押し出す、上記＜５＞に記載の文書支持および持ち上げ機構を備える自動文書フィーダ装置（１０１）。
【０１１１】
＜７＞ 前記ばねが、片寄せ用ねじりばねである、上記＜６＞に記載の文書支持および持ち上げ機構を備える自動文書フィーダ装置（１０１）。
【０１１２】
＜８＞ 前記クラッチ（１２１３）が、一方向針クラッチである、上記＜６＞に記載の文書支持および持ち上げ機構を備える自動文書フィーダ装置（１０１）。
【０１１３】
＜９＞ 前記持ち上げカム機構（１６１５，１６１７）は、
前記モジュール式組立体（４０１、６０１、８０１）の１つに取り付けられ、文書支持体（１６０１）に結合され、持ち上げて文書シートを支持表面（１７０１）、及び この支持表面（１７０１）から摩擦を有しないで、かつ、静電気の帯電を有しないで下方を通過させ、かつ、走査動作前に文書シートの上部に下ろすためのカムリンク機構（１６１５）、及び、前記カムリンク機構（１６１５）と連動して、文書支持体（１６０１）を上昇位置までの持ち上げ、前記文書シートを前記支持表面へ前進させ、上部に横方向で文書支持体を前記文書シート上に下ろして文書走査を行い、文書支持体を上昇位置までの持ち上げ、文書シートをシート送りによって前記支持表面から排出し、他の文書シートの受け入れを考慮して文書支持体（１６０１）を準備完了位置にある支持表面（１７０１）のまで下げるシーケンスを実行するための差動歯車列装置（１６１７）と、
を備える、上記＜２＞に記載の文書支持および持ち上げ機構を備える自動文書フィーダ装置（１０１）。
【０１１４】
＜１０＞ 更に、前記モジュール式組立体（４０１，６０１，８０１）の他の１つに取り付けられて、媒体シートをコンピュータ入力装置の受け支持表面（１７０１）に載せ置き、及び、取り出す際に媒体シートの個別の一枚を順次載せ置き、かつ、取り出すための紙駆動機構（２００１）を備え、
前記紙駆動機構（２００１）は、一対の離間して設けられた駆動平衡駆動ローラ（２００７，２００８）を備え、媒体シートをコンピュータ入力装置の受け支持表面に載せ置き、及び、取り出す際に媒体シートの個別の一枚に順次係合して載せ置き、及び、取り出しの期間中シートの斜行を排除する、上記＜９＞に記載の文書支持および持ち上げ機構を備える自動文書フィーダ装置（１０１）。
【０１１５】
【発明の効果】
以上の説明から明らかなように、本発明の文書支持および持ち上げ機構を備える自動文書フィーダ装置によれば、解放可能に取り付けられた際の扁平床スキャナ上に、又は、外に完全な紙経路を形成するための上部シャーシと下部シャーシとの間に設置された主シャーシを備える３つの単位シャーシからなる一組のシャーシを備えている。
【０１１６】
この結果、簡単な紙搬送経路が形成され、かつ、廉価で、扁平床文書スキャナを採用しているハードコピー装置に適用できるようになる。この場合、その組立が容易になる。すなわち、組み立てが、迅速かつ効率的に出来るようになる。
【図面の簡単な説明】
【図１】
本発明の文書支持および持ち上げ機構を備える自動文書フィーダ装置の実施形態における構成を示す斜視図である。
【図２】
図１に示したＡＤＦの後左上方から見た様子を示す斜視図である。
【図３】
図１に示したＡＤＦの後右上方から見た様子を示す斜視図である。
【図４】
図１に示したＡＤＦの主シャーシの前方を示す斜視図である。
【図５】
図４に示した主シャーシの後方を示す斜視図である。
【図６】
図１に示したＡＤＦの上部シャーシの前方を示す斜視図である。
【図７】
図６に示した上部シャーシの後方を示す斜視図である。
【図８】
ＡＤＦ取付蝶番を備える図１に示したＡＤＦの下部シャーシを分解した前方から見た様子を示す斜視図である。
【図９】
図８の下部シャーシの前方を示す斜視図である。
【図１０】
図８の下部シャーシの部分おけるＢ−Ｂ線（図９）での断面図である。
【図１１】
図８での下部シャーシに代える実施形態での前方を示す斜視図であり、紙押下器要素を備えた下部シャーシを示す図である。
【図１２】
図８に示した取付蝶番の桁部材の斜視図である。
【図１３】
図８に示した取付蝶番の保持フックの詳細斜視図である。
【図１４】
図８に示した取付蝶番の保持フックの詳細斜視図である。
【図１５】
図８に示した取付蝶番の保持フックの詳細斜視図である。
【図１６】
図８〜図１５に示した取付蝶番が取り付けられている下部シャーシの前右下を示す斜視図である。
【図１７】
図１６の細部を示す斜視図である。
【図１８】
図１６に示した、取付蝶番が取り付けられた下部シャーシの右後上方を示す斜視図である。
【図１９】
図１８の蝶番取り付け具の拡大部分にかかる斜視図である。
【図２０】
図８の下部シャーシの後方を示す斜視図である。
【図２１】
文書シートの載せ置き及び取り出しの順序を示す概略図である。
【図２２】
文書シートの載せ置き及び取り出しの順序を示す概略図である。
【図２３】
文書シートの載せ置き及び取り出しの順序を示す概略図である。
【図２４】
文書シートの載せ置き及び取り出しの順序を示す概略図である。
【図２５】
文書シートの載せ置き及び取り出しの順序を示す概略図である。
【図２６】
文書シートの載せ置き及び取り出しの順序を示す概略図である。
【図２７】
文書シートの載せ置き及び取り出しの順序を示す概略図である。
【図２８】
図１に示すＡＤＦの分解斜視図である。
【図２９】
上ケースの付いた図１に示すＡＤＦの分解斜視図である。
【図３０】
扁平床入力装置ベゼルに対するＡＤＦの向きを示す斜視図である。
【図３１】
入力トレイの紙止め及び取り出し機構を詳細に示す斜視図である。
【図３２】
原位置、ホームポジションにある紙止取出機構を示す斜視図である。
【図３３】
原位置、紙取り出し位置にある紙止取出機構を詳細に示す斜視図である。
【図３４】
図３１〜図３３に示した主シャーシの後左における斜視図である。
【図３５】
図２８に示す文書シート支持機構の上方から見た様子を示す斜視図である。
【図３６】
図３５の文書シートの載せ置き動作状態にある文書シート支持機構を側方から見た様子を示す概略立面図である。
【図３７】
図３５の文書シート支持機構を側方から見た様子を示す概略立面図である。
【図３８】
図３５の文書シート支持機構を側方から見た様子を示す概略立面図である。
【図３９】
図２８中の紙駆動機構を部分的に示す斜視図である。
【図４０】
持ち上げ機構の機械的動作を説明するための斜視図である。
【図４１】
持ち上げ機構の機械的動作を説明するための斜視図である。
【図４２】
持ち上げ機構の機械的動作を説明するための斜視図である。
【図４３】
持ち上げ機構の機械的動作を説明するための斜視図である。
【図４４】
実施形態にあって持ち上げ機構の機械的動作を説明するための斜視図である。
【符号の説明】
１０１ 自動文書フィーダ装置（扁平床スキャナ）
４０１ 主シャーシ
４０３ 媒体入力トレイ
６０１ 上部シャーシ
８０１ 下部シャーシ
８０３ 媒体出力トレイ
１２０１ 紙取出装置
１６０１ 文書支持体
１６１５ カムリンク装置
１６１７ 差動歯車列装置
１７０１ 扁平床ガラス
【手続補正２】
【補正対象書類名】図面
【補正対象項目名】図２
【補正方法】変更
【補正の内容】
【図２】
1999314770.tif 000001
【手続補正３】
【補正対象書類名】図面
【補正対象項目名】図７
【補正方法】変更
【補正の内容】
【図７】
1999314770.tif 000002
【手続補正４】
【補正対象書類名】図面
【補正対象項目名】図１６
【補正方法】変更
【補正の内容】
【図１６】
1999314770.tif 000003
【手続補正５】
【補正対象書類名】図面
【補正対象項目名】図１８
【補正方法】変更
【補正の内容】
【図１８】
1999314770.tif 000004
【手続補正６】
【補正対象書類名】図面
【補正対象項目名】図２１
【補正方法】変更
【補正の内容】
【図２１】
1999314770.tif 000005
【手続補正７】
【補正対象書類名】図面
【補正対象項目名】図２６
【補正方法】変更
【補正の内容】
【図２６】
1999314770.tif 000006
【手続補正８】
【補正対象書類名】図面
【補正対象項目名】図２７
【補正方法】変更
【補正の内容】
【図２７】
1999314770.tif 000007
【手続補正９】
【補正対象書類名】図面
【補正対象項目名】図２８
【補正方法】変更
【補正の内容】
【図２８】
1999314770.tif 000008
【手続補正１０】
【補正対象書類名】図面
【補正対象項目名】図２９
【補正方法】変更
【補正の内容】
【図２９】
1999314770.tif 000009
【手続補正１１】
【補正対象書類名】図面
【補正対象項目名】図３５
【補正方法】変更
【補正の内容】
【図３５】
1999314770.tif 000010